(57)【特許請求の範囲】
【請求項１】
満タン給油を行う際に液面検知により自動閉弁する給油ノズルと、該給油ノズルに油液を送液する送液手段と、任意の給油量又は金額をプリセットする際に操作されるプリセット給油指示手段と、該プリセット給油指示手段により設定された給油量が給油されたとき前記送液手段による油液の供給を停止させる送液停止手段とを有する給油装置において、
前記満タン給油を設定する際に操作される満タンキーと、
セルフ給油が行なわれる際に設定されるセルフ給油モード設定手段と、
給油所作業員による給油が行なわれる際に設定される作業員給油モード設定手段と、
前記セルフ給油モード設定手段によりセルフ給油モードが設定されている場合には、前記プリセットキーと満タンキーとの何れかのキーが操作されることによりプリセットあるいは満タンの何れかが設定されていることを条件に給油を許可し、前記作業員給油モード設定手段により作業員給油モードが設定されている場合には、前記給油ノズルを検出するノズルスイッチからの信号により給油を許可する給油許可手段と、
を備えてなることを特徴とする給油装置。
【請求項２】
給油すべき油液の種類を設定する際に操作される油種選択キーを設け、
前記給油許可手段は、前記セルフ給油モード設定手段によりセルフ給油モードが設定されている場合には、前記プリセットキーと満タンキーとの何れかのキーが操作されることによりプリセットあるいは満タンの何れかが設定され、かつ、前記油種選択キーが選択されて油種が設定されていることを条件に給油を許可し、前記作業員給油モード設定手段により作業員給油モードが設定されている場合には、前記給油ノズルを検出するノズルスイッチからの信号により給油を許可することを特徴とする請求項１に記載の給油装置。
【請求項３】
満タン給油を行う際に液面検知により自動閉弁する給油ノズルと、
該給油ノズルに油液を送液する送液手段と、
給油すべき油液の種類を設定する際に操作される油種選択キーと、
前記セルフ給油モード設定手段によりセルフ給油モードが設定されている場合には、前記油種選択キーが選択されて油種が設定されていることを条件に給油を許可し、前記作業員給油モード設定手段により作業員給油モードが設定されている場合には、前記給油ノズルを検出するノズルスイッチからの信号により給油を許可する給油許可手段と、
ことを特徴とする給油装置。
【発明の詳細な説明】
【０００１】
【発明の属する技術分野】
本発明は給油所等において使用され、例えば自動車の燃料タンク等へガソリンや軽油等の油液を給油する給油装置に関する。
【０００２】
【従来の技術】
給油所等においては、ガソリンあるいは軽油等の油液を自動車の燃料タンクに給油するための給油装置が設置されている。
従来の給油装置では、給油所の作業員が顧客の要望を聞いて満タン給油あるいはプリセット給油の操作を行っていた。給油ノズルは吐出パイプ先端に設けられた液面検知用の空気導入孔が液面に閉塞されることにより自動閉弁動作する弁機構を内蔵しているため、満タン給油を行う場合、作業員は特別な設定操作せずに給油ノズルをノズル掛けから外して給油口に挿入した後、ノズルレバーを開弁位置に操作するだけであった。
【０００３】
また、プリセット給油を行う場合には、装置本体に設けられたプリセットキーを操作して顧客が要望した給油量あるいは金額を入力してプリセット給油を設定する。このようにプリセット給油が設定された場合、流量計により計測された流量積算値がプリセットキーの操作により設定されたプリセット値に達した時点でポンプを停止させて給油ノズルへの送液を停止させるようになっている。
【０００４】
【発明が解決しようとする課題】
しかしながら、運転者自身が給油を行うセルフ給油を行う場合、給油操作に慣れていない運転者が上記のように給油装置のノズル掛けから給油ノズルを外して給油操作をしなければならない。このように、セルフ給油を行う場合、給油所作業員による給油の場合と同じ操作方法で給油しなければならないので、例えば運転者がセルフでプリセット給油を行う際にプリセット値を入力するのを忘れて給油開始してしまい、運転者が希望する所定値以上に給油してしまう可能性があった。
【０００５】
また、セルフで満タン給油を行っているときに給油ノズルが十分に給油口に挿入されていないと、給油中に給油ノズルが給油口から脱落するおそれがある。ところが、運転者が給油ノズルが外れたことに気付かない場合、給油口ら脱落した給油ノズルから油液が吐出され続けることになる。しかも、運転者が給油ノズルが外れたことに気付いてもどの様に対処すれば良いのか分からず、給油所作業員が来るまで給油ノズルが外れたままとなり、その間に油液が地面に吐出されるおそれがある。
【０００６】
そこで、本発明は上記問題を解決した給油装置を提供することを目的とする。
【０００７】
【課題を解決するための手段】
上記課題を解決するため、本発明は以下のような特徴を有する。
上記請求項１の発明は、満タン給油を行う際に液面検知により自動閉弁する給油ノズルと、該給油ノズルに油液を送液する送液手段と、任意の給油量又は金額をプリセットする際に操作されるプリセット給油指示手段と、該プリセット給油指示手段により設定された給油量が給油されたとき前記送液手段による油液の供給を停止させる送液停止手段とを有する給油装置において、
前記満タン給油を設定する際に操作される満タンキーと、セルフ給油が行なわれる際に設定されるセルフ給油モード設定手段と、
給油所作業員による給油が行なわれる際に設定される作業員給油モード設定手段と、
前記セルフ給油モード設定手段によりセルフ給油モードが設定されている場合には、前記プリセットキーと満タンキーとの何れかのキーが操作されることによりプリセットあるいは満タンの何れかが設定されていることを条件に給油を許可し、前記作業員給油モード設定手段により作業員給油モードが設定されている場合には、前記給油ノズルを検出するノズルスイッチからの信号により給油を許可する給油許可手段と、
を備えてなることを特徴とするものである。
【０００８】
従って、請求項１によれば、満タン給油指示手段又はプリセット給油指示手段によりいずれかの給油モードが指示されたときに送液手段による給油を許可するため、操作者がセルフ給油か満タン給油かを認識することができ、例えばセルフ給油を行う場合にプリセット給油を行うつもりでプリセット値の入力操作を忘れて満タン給油の操作をしてしまうことを防止できる。
【０００９】
また、請求項２の発明は、給油すべき油液の種類を設定する際に操作される油種選択キーを設け、
前記給油許可手段は、前記セルフ給油モード設定手段によりセルフ給油モードが設定されている場合には、前記プリセットキーと満タンキーとの何れかのキーが操作されることによりプリセットあるいは満タンの何れかが設定され、かつ、前記油種選択キーが選択されて油種が設定されていることを条件に給油を許可し、前記作業員給油モード設定手段により作業員給油モードが設定されている場合には、前記給油ノズルを検出するノズルスイッチからの信号により給油を許可することを特徴とするものである。
【００１０】
従って、請求項２によれば、請求項１の効果に加え、セルフ給油モードが設定されている場合には、油種選択キーが選択されて油種が設定されていることを条件に給油を許可するため、操作者自身が油種を確認して給油操作することができ、セルフ給油モードで油種選択間違いをせずに済む。
【００１１】
また、請求項３の発明は、満タン給油を行う際に液面検知により自動閉弁する給油ノズルと、
該給油ノズルに油液を送液する送液手段と、
給油すべき油液の種類を設定する際に操作される油種選択キーと、
前記セルフ給油モード設定手段によりセルフ給油モードが設定されている場合には、前記油種選択キーが選択されて油種が設定されていることを条件に給油を許可し、前記作業員給油モード設定手段により作業員給油モードが設定されている場合には、前記給油ノズルを検出するノズルスイッチからの信号により給油を許可する給油許可手段と、
ことを特徴とするものである。
【００１２】
従って、請求項３によれば、セルフ給油モードが設定されている場合には、油種選択キーが選択されて油種が設定されていることを条件に給油を許可するため、操作者自身が油種を確認して給油操作することができ、セルフ給油モードで油種選択間違いをせずに済む。
【００１３】
【発明の実施の形態】
以下、図面と共に本発明の実施の形態について説明する。
図１は本発明になる給油装置の一実施例の正面図、図２は給油装置の側面図である。
【００１４】
給油装置１は、地上設置型給油装置と懸垂式給油装置とを組み合わせたものであり、給油所のアイランド２上に設置された装置本体３と、装置本体３の上部に設けられた支柱４と、支柱４の上端に設けられたホース支持部５とよりなる。装置本体３は、上部に給油量及び金額等の数値を表示する表示器７などが設けられている。
【００１５】
また、装置本体３は正面３ａ及び背面３ｂに３個のノズル掛け８が設けられており、各ノズル掛け８には給油経路９の先端に接続された給油ノズル１０が掛けられている。３本の給油経路９は、夫々異なる油種の送液管路（図示せず）に連通されており、例えば各給油ノズル１０で給油可能な油種が左からハイオクガソリン、レギュラーガソリン、軽油といった具合に決められている。
【００１６】
装置本体３の正面３ａ及び背面３ｂには、セルフ給油を行う場合に操作される操作パネル１１と給油操作を指示するための給油操作ガイダンスパネル１２が配設されている。操作パネル１１は、後述するように油種、給油量（満タン給油あるいはプリセット給油の指定）を指定するための各種キーが表示される液晶タッチパネルよりなる。
【００１７】
また、装置本体３の左側面３ｃには、運転者自身が給油操作を行うセルフ給油モードあるいは給油所作業員が給油操作を行う作業員給油モードを指定するための給油操作モード指定スイッチ１３が配設されている。この給油操作モード指定スイッチ１３は、トグルスイッチよりなり、スイッチレバーの操作位置によりセルフ給油モードあるいは作業員給油モードを指定することができる。
【００１８】
そのため、本実施例の給油操作モード指定スイッチ１３は、セルフ給油モード設定手段と作業員給油モード設定手段とを兼ねている。また、給油操作モード指定スイッチ１３は、給油所作業員が操作するものであり、顧客が勝手に操作しないように目立たない位置に設けられている。
【００１９】
また、給油操作モード指定スイッチ１３によりセルフ給油モードが設定されたとき、あるいは作業員給油モードが設定されて給油ノズル１０を検出するノズルスイッチ８ａからの信号により給油を許可するため、給油所の作業員以外の者が間違って作業員給油モードを設定してしまうことを防止でき、操作者自身がセルフ給油モードで満タン給油又はプリセット給油であることを確認して給油操作するので誤操作を防止できる。
【００２０】
さらに、給油操作モード指定スイッチ１３によりモード指定が可能であるため、例えば日中は作業員による給油を行ない、夜間はセルフ給油にするというような給油所の都合に対応することができる。
図３は操作パネル１１の表示例を拡大して示す正面図である。
【００２１】
操作パネル１１は、セルフ給油の場合のみ操作されるものであり、上から「１．御希望の油種を選択してください」「２．給油量を選択ください」「３．ノズルをはずしてください」といった操作手順が表示されている。そのため、セルフ給油で運転者自身が給油操作する場合には、操作パネル１１に表示された手順で操作すれば良いので、セルフ給油に慣れていない運転者でも容易に給油操作が行えるようになっている。
【００２２】
そして、操作パネル１１は、セルフ給油する際にレギュラー、ハイオク、軽油等の油種を選択する油種選択キー１６と、満タン給油を行う場合に操作される満タンキー１７と、プリセット給油を行う場合に操作されるプリセットキー１８とを有する。尚、本実施例では、油種選択キー１６としては、レギュラー指定キー１６ａ，ハイオク指定キー１６ｂ，軽油指定キー１６ｃが設けられている。また、プリセットキー１８としては、金額設定用の１０００円キー１８ａ，２０００円キー１８ｂ，３０００円キー１８ｃと、給油量設定用の１０リットルキー１８ｄ，２０リットルキー１８ｅ，３０リットルキー１８ｆとが設けられている。
【００２３】
図４は給油経路９及び制御系の構成を示すブロック図である。
給油経路９は、給油ノズル１０と、給油ノズル１０に接続された給油ホース１９と、給油ホース１９に連通された給液管路２０と、給液管路２０に配設された流量計２１、ポンプ２２とよりなる。
【００２４】
２３は制御装置で、上記給油操作モード指定スイッチ１３、操作パネル１１の油種選択キー１６、満タンキー１７、プリセットキー１８、表示器７、ノズル掛け８のノズルスイッチ８ａ、流量計２１のパルス発信器２１ａ，ポンプ２２のポンプモータ２２ａが接続されている。
【００２５】
また、制御装置２３のメモリ２４には、操作パネル１１の操作により満タン給油又はプリセット給油のいずれかの給油モードが指示されたときに給油を許可する制御プログラム（給油許可手段）と、給油操作モード指定スイッチ１３の操作によりセルフ給油モードが設定されたとき、あるいは作業員給油モードが設定されて給油ノズル１０を検出するノズルスイッチ８ａからの信号により給油を許可する制御プログラム（給油許可手段）と、セルフ給油モードが設定された状態で満タン給油モードが設定されたときは、給油可能な給油量上限値を設定する制御プログラム（給油量上限値設定手段）とが格納されている。
【００２６】
給油操作者は、後述するようにセルフ給油モード又は作業員給油モードの設定、及び満タン給油又はプリセット給油のいずれかの給油モードを指示した後、給油ノズル１０をノズル掛け８から外して吐出パイプ１０ａを燃料タンク２５の給油口２５ａに挿入する。
【００２７】
給油のため給油ノズル１０がノズル掛け８から外されると、ノズル掛け８に設けられたノズルスイッチ８ａがオフになり、これにより制御装置２３はポンプモータ２２ａを起動させて地下タンク（図示せず）に貯蔵された油液を給液管路２０を介して汲み上げる。
【００２８】
そして、給油ノズル１０のノズルレバー１０ｂが操作され、内蔵された弁が開弁されると、ポンプ２２により汲み上げられた油液が給液管路２０、給油ホース１９、給油ノズル１０を介して燃料タンク２５に供給される。このように給油が開始された後、給油ノズル１０のノズルレバー１０ｂはレバーフックに係止されて開弁操作状態に保持される。
【００２９】
給油ノズル１０は、ベンチュリ効果、即ち油液の流速によって負圧を生じさせる負圧発生部を有し、この負圧発生部で生じた負圧によりダイヤフラムを変位させて弁機構を閉弁動作させるようになっている。給油ノズル１０は、ノズルレバー１０ｂを開弁位置に掛止させることができるので、操作者がノズルレバー１０ｂから手を離しても給油を継続させることができる。
【００３０】
また、給油ノズル１０は、燃料タンク２５の給油口２５ａに挿入される吐出パイプ１０ａの先端に給油口２５ａの液上昇を検出するための空気導入口（図示せず）が設けられており、負圧発生部で生じた負圧により空気導入口から空気が吸引される。そして、満タン給油を行う場合、給油ノズル１０は、空気導入口が液面により閉塞されると、空気導入口からの空気吸引が停止し、代わりにダイヤフラム室の空気が吸引されてダイヤフラムが開弁していた弁機構の係止を解除して閉弁動作させるようになっている。
【００３１】
また、プリセット給油を行う場合、制御装置２３は、流量計２１のパルス発信器２１ａから出力された流量パルスを積算しており、流量積算値がプリセットキー１８により設定された流量値に達したときポンプモータ２２ａを停止させる。ここで、制御装置２３が満タン給油時に実行する処理につき図５のフローチャートを参照して説明する。
【００３２】
制御装置２３はステップＳ１（以下「ステップ」を省略する）において、電源がオンに操作されるとＳ２に進み、セルフ給油モードが指定された否かを確認する。従って、給油操作モード指定スイッチ１３がセルフ給油モード側に操作されているときは、Ｓ３に進み、満タンキー１７がオンに操作された否かを確認する。また、Ｓ３で満タンキー１７がオフであるときは、Ｓ４に進み、プリセットキー１８（１８ａ〜１８ｆ）がオンに操作された否かを確認する。
【００３３】
そして、プリセットキー１８（１８ａ〜１８ｆ）が操作されないときは、Ｓ３に戻り、Ｓ３，Ｓ４に処理を繰り返す。このように、セルフ給油モードで満タン給油を行う場合には、操作パネル１１の満タンキー１７が操作され、セルフ給油モードでプリセット給油を行う場合には、操作パネル１１のプリセットキー１８が操作されるため、給油操作者自身が満タン給油を行うことを認識することができ、例えばセルフ給油を行う場合にプリセット給油を行うつもりでプリセット値の入力操作を忘れて満タン給油の操作をしてしまうことを防止できる。
【００３４】
ここで、満タンキー１７がオンに操作されたときは、Ｓ３からＳ５に進み、満タン給油モードが設定されると共に給油可能な給油量上限値（例えば３５〜４０リットル程度）を設定する。これは、給油量上限値に達した時点で給油を停止させることにより、給油操作者が給油ノズル１０から離れた場所にいて給油ノズル１０が給油口２５ａから外れたことに気付かない場合、給油量上限値以上に油液が地面に吐出されることを防止できる。
【００３５】
次のＳ６では、油種選択キー１６（１６ａ〜１６ｃ）のうちオンに操作された油種を給油油種として設定する。続いて、Ｓ７でノズル掛け８のノズルスイッチ８ａがオフになったかどうかをチェックする。
Ｓ７において、給油ノズル１０がノズル掛け８から外されてノズルスイッチ８ａがオフになると、Ｓ８に進み、ポンプモータ２２ａを起動させて地下タンク（図示せず）に貯蔵された油液を汲み上げて給液管路２０へ送液する。
【００３６】
そして、給油操作者が給油ノズル１０のノズルレバー１０ｂを開弁方向に操作して内蔵された弁が開弁されると、ポンプ２２により汲み上げられた油液が給液管路２０、給油ホース１９、給油ノズル１０を介して燃料タンク２５に供給される。
【００３７】
次のＳ９では、流量計２１により給油された流量が計測され、その流量積算値を表示器７に表示させる。そして、Ｓ１０では、Ｓ９で積算された流量がＳ５で設定された給油量上限値に達したか否かを判定する。
Ｓ１０において、積算された流量が給油量上限値以下であるときは、Ｓ１１に進み、給油ノズル１０がノズル掛け８に戻されてノズルスイッチ８ａがオンになったかどうかをチェックする。
【００３８】
Ｓ１１でノズルスイッチ８ａがオンになったときは、満タン給油が終了して給油ノズル１０がノズル掛け８に戻されたため、Ｓ１２に進み、ポンプモータ２２ａへの電源供給を止めてポンプ２２を停止させる。
また、上記Ｓ１０において、積算された流量が給油量上限値に達したときは、Ｓ１１に移行してポンプ２２を停止させる。これにより、例えば給油操作者が離れた場所にいて給油ノズル１０が給油口２５ａから外れたことに気付かなくてもポンプ２２が自動的に停止して油液が地面に吐出されることを防止できる。
【００３９】
次のＳ１３では、電源スイッチがオフに操作されたかどうかをチェックしており、電源スイッチがオンのときは、上記Ｓ２に戻り、それ以降の処理を繰り返す。
また、上記Ｓ４において、プリセットキー１８（１８ａ〜１８ｆ）のいずれかがオンに操作されたときは、Ｓ１４に移行して操作されたプリセットキー１８に対応する流量をプリセット値として設定する。次のＳ１５〜Ｓ１８は、前述したＳ６〜Ｓ９と同じ処理なので、これらの説明は省略する。
【００４０】
そして、Ｓ１９では、Ｓ１８で積算された流量がＳ１４で設定されたプリセット値に達したか否かを判定する。Ｓ１９において、積算された流量がプリセット値以下であるときは、Ｓ２０に進み、給油ノズル１０がノズル掛け８に戻されてノズルスイッチ８ａがオンになったかどうかをチェックする。
【００４１】
Ｓ２０でノズルスイッチ８ａがオンになったときは、プリセット給油を途中で終了させて給油ノズル１０がノズル掛け８に戻されたため、Ｓ１２に進み、ポンプモータ２２ａへの電源供給を止めてポンプ２２を停止させる。
また、上記Ｓ１９において、積算された流量がプリセット値に達したときは、Ｓ１２に移行してポンプ２２を停止させる。これにより、プリセット給油が終了する。
【００４２】
上記Ｓ２において、給油操作モード指定スイッチ１３が給油所作業員給油モード側に操作されているときは、Ｓ２１に移行してプリセットキー１８（１８ａ〜１８ｆ）のいずれかがオンに操作されたか否かをチェックする。Ｓ２１でプリセットキー１８（１８ａ〜１８ｆ）のいずれかがオンに操作されたときはＳ２２に移行して操作されたプリセットキー１８に対応する流量をプリセット値として設定する。この場合、通常のプリセット給油と同じ操作が行われる。そして、セルフ給油モードのプリセット給油の場合と同様に前述したＳ１６以降の処理を実行する。
【００４３】
また、上記Ｓ２１において、プリセットキー１８（１８ａ〜１８ｆ）が操作されないときは、給油所作業員による満タン給油を行うため、Ｓ２３に移行する。この場合、通常の満タン給油と同じ操作が行われる。次のＳ２３〜Ｓ２５は、前述したＳ７〜Ｓ９と同じ処理なので、これらの説明は省略する。
【００４４】
そして、Ｓ２６では、給油ノズル１０がノズル掛け８に戻されてノズルスイッチ８ａがオンになったかどうかをチェックする。
Ｓ２０でノズルスイッチ８ａがオンになったときは、満タン給油が終了したため、Ｓ１２に移行してポンプ２２を停止させる。これにより、給油所作業員による満タン給油が終了する。
【００４５】
尚、上記実施例では、自動車の燃料タンクに給油する給油装置を一例として挙げたが、これに限らず、他のタンクに油液を給油する構成の給油装置にも適用できるのは勿論である。
また、上記実施例では、セルフ給油モードと作業員給油モードとを指定するためには給油操作モード指定スイッチ１３を設けたが、これに限らず、操作パネル１１にファンクションキーを設け、操作パネル１１上で指定できるようにしても良い。
【００４６】
【発明の効果】
上述の如く、請求項１によれば、満タン給油指示手段又はプリセット給油指示手段によりいずれかの給油モードが指示されたときに送液手段による給油を許可するため、操作者がセルフ給油か満タン給油かを認識することができ、例えばセルフ給油を行う場合にプリセット給油を行うつもりでプリセット値の入力操作を忘れて満タン給油の操作をしてしまうことを防止できる。
【００４７】
請求項２によれば、セルフ給油モードが設定されている場合には、プリセットキーと満タンキーとの何れかのキーが操作されることによりプリセットあるいは満タンの何れかが設定され、かつ、油種選択キーが選択されて油種が設定されていることを条件に給油を許可するため、請求項1の効果に加え、操作者自身が油種を確認して給油操作することができ、セルフ給油モードで油種選択間違いをせずに済む。
【００４８】
従って、請求項３によれば、セルフ給油モードが設定されている場合には、油種選択キーが選択されて油種が設定されていることを条件に給油を許可するため、操作者自身が油種を確認して給油操作することができ、セルフ給油モードで油種選択間違いをせずに済む。
【図面の簡単な説明】
【図１】本発明になる給油装置の一実施例の概略構成を示す構成図である。
【図２】給油装置の左側面図である。
【図３】操作パネルを拡大して示す正面図である。
【図４】給油経路及び制御系の構成を示すブロック図である。
【図５】本発明の制御装置が実行する給油制御処理を説明するためのフローチャートである。
【符号の説明】
１  給油装置
３  装置本体
４  支柱
５  ホース支持部
７  表示器
８  ノズル掛け
９  給油経路
１０  給油ノズル
１１  操作パネル
１３  給油操作モード指定スイッチ
１６  油種選択キー
１７  満タンキー
１８  プリセットキー
１９  給油ホース
２０  給液管路
２１  流量計
２２  ポンプ
２３  制御装置
２４  メモリ
【図１】
0003762498.tif 000002
【図２】
0003762498.tif 000003
【図３】
0003762498.tif 000004
【図４】
0003762498.tif 000005
【図５】
0003762498.tif 000006